(57)【特許請求の範囲】
【請求項１】
冷却水を流通する冷却水通路を有して、真空雰囲気中で冷却水及び電源を供給するための水冷ケーブルであって、
電源を供給するための導線と、
該導線との間に前記冷却水通路を有して外装される被覆管とを有し、
該被覆管は、耐熱温度が１００℃以上であって可撓性を有する絶縁材料であるフッ素系ゴムのみで形成された略管状のものであり、少なくとも外皮のベーキング前の放出ガス量が１０−４Ｐａ・ｍ３／ｓ・ｍ２以下であって、
圧力が１０−５Ｐａ以下の高真空雰囲気下で使用されることを特徴とする水冷ケーブル。
【請求項２】
真空槽と、
該真空槽の内部を真空雰囲気に排気可能な排気手段と、
前記真空槽の内部で被処理物を加熱する加熱手段と、
前記真空槽の外部から内部へ冷却水及び電源を供給する請求項１に記載の水冷ケーブルとを備えることを特徴とする真空加熱装置。
【請求項３】
請求項２に記載の真空加熱装置において、
前記真空槽の内部に設けられ、前記水冷ケーブルによって電源が供給される前記加熱手段である誘導加熱コイルと、
該誘導加熱コイルの内側に配設され、内部に前記被処理物を収容するルツボとを備え、
該ルツボの内部に収容された前記被処理物を溶解させる真空誘導溶解炉であることを特徴とする真空加熱装置。
【請求項４】
請求項２または請求項３に記載の真空加熱装置において、
前記真空槽の内部に設けられ、冷却水を通水させる冷却水配管を備え、
該冷却水配管は、耐熱温度が１００℃以上で、少なくとも外皮のベーキング前の放出ガス量が１０−４Ｐａ・ｍ３／ｓ・ｍ２以下であって可撓性を有する絶縁材料であるフッ素系ゴムで形成されていることを特徴とする真空加熱装置。
【発明の詳細な説明】
【技術分野】
【０００１】
本発明は、真空雰囲気で冷却水及び電源を供給する水冷ケーブル、及び、該水冷ケーブルを備えた真空加熱装置に関する。
【背景技術】
【０００２】
交流電流による電磁誘導加熱により真空雰囲気で被処理物を加熱する装置の代表例として、金属や合金を加熱して溶解させる真空誘導溶解炉がある。真空誘導溶解炉は、外気に対して気密にされた真空槽と、該真空槽内で金属導体を螺旋上に巻回した誘導加熱コイルと、該誘導加熱コイルの内側に被処理物である被溶解金属を収容するルツボと、誘導加熱コイルに交流電力を供給する給電手段とを備えている。そして、給電手段から誘導加熱コイルに交流電流を供給することで、交流磁界が生じ、磁束密度の大きいルツボの内部に収容された被溶解金属には、誘導電流（渦電流）が生じることとなる。これにより、被溶解金属は、発熱して溶解することとなり、収容しているルツボを傾動させることで、真空槽内で隣接して配置された鋳型に流し込まれることとなる。ここで、誘導加熱コイルは、自らも昇温してしまうため、コイル線材内部に中空部を有して、常に冷却水が供給されている。
【０００３】
また、誘導加熱コイルに交流電力を供給する給電手段としては、導線と、導線との間に冷却水通路を有して外装されたゴム管とで構成された水冷ケーブルが使用されている（例えば、特許文献１参照）。この水冷ケーブルによれば、導線によって電源供給を行うとともに、その外周はゴム管によって絶縁されている。また、導線とゴム管とで構成されて可撓性を有するので、ルツボの移動とともに追従させることが可能である。さらに、導線とゴム管との間の冷却水通路に冷却水を通水させることで、自らの導線及びゴム管を冷却するとともに、冷却水を誘導加熱コイルに供給することが可能となっている。
【先行技術文献】
【特許文献】
【０００４】
【特許文献１】特許第３８５０５４７号公報
【発明の概要】
【発明が解決しようとする課題】
【０００５】
しかしながら、特許文献１の水冷ケーブルでは、外周側にゴム管を配設しているため、真空槽内で高温、真空雰囲気に曝されるとゴムの内部からガスを放出する傾向が大きく、放出ガス量を１０−４Ｐａ・ｍ３／ｓ・ｍ２より低く保つことが困難である（「真空ハンドブック」による）。また、圧力が１０−５Ｐａ以下である高真空雰囲気とする場合には、ベーキングとして、真空槽、真空槽の内部に配置するルツボや水冷ケーブルなどを加熱して脱ガス処理を行う必要があるが、水冷ケーブルのゴム管は、ベーキングに必要な少なくとも６５℃以上温度まで昇温可能な耐熱性のゴム材を選択しても、加熱によりガスの放出が著しくなってしまう。このため、上記水冷ケーブルを使用した場合には、被処理物を加熱する真空雰囲気としては、到達圧力を１０−５Ｐａ以下にすることが困難であり、真空槽の内部でガスが放出されて、被処理物が汚染されて品質が低下してしまう問題があった。
【０００６】
この発明は、上述した事情に鑑みてなされたものであって、高真空雰囲気中において、放出ガスによって圧力を低下させること無く、また、周辺環境を汚染させること無く使用することが可能な可撓性を有する水冷ケーブル及び水冷ケーブルを備えた真空加熱装置を提供するものである。
【課題を解決するための手段】
【０００７】
上記課題を解決するために、この発明は以下の手段を提案している。
本発明は、冷却水を流通する冷却水通路を有して、真空雰囲気中で冷却水及び電源を供給するための水冷ケーブルであって、電源を供給するための導線と、該導線との間に前記冷却水通路を有して外装される被覆管とを有し、該被覆管は、耐熱温度が１００℃以上であって可撓性を有する絶縁材料であるフッ素系ゴムのみで形成された略管状のものであり、少なくとも外皮のベーキング前の放出ガス量が１０−４Ｐａ・ｍ３／ｓ・ｍ２以下であって、圧力が１０−５Ｐａ以下という高真空雰囲気下で使用することを特徴としている。
【０００８】
この発明に係る水冷ケーブルによれば、導線を電気的に接続することにより、電源を供給するとともに、導線と被覆管との間の冷却水通路によって冷却水を供給することが可能である。ここで、被覆管が、耐熱温度が１００℃以上で、少なくともベーキング前の外皮の放出ガス量が１０−４Ｐａ・ｍ３／ｓ・ｍ２以下の可撓性を有するフッ素系ゴムで形成されていることにより、可撓性及び絶縁性を確保するとともに、ベーキングを行うための耐熱性を付与することができ、また、放出ガスの低減を図り、圧力が１０−５Ｐａ以下という高真空雰囲気下で使用することができる。
【０００９】
また、本発明の真空加熱装置は、真空槽と、該真空槽の内部を真空雰囲気に排気可能な排気手段と、前記真空槽の内部で被処理物を加熱する加熱手段と、前記真空槽の外部から内部へ冷却水及び電源を供給する上記の水冷ケーブルとを備えることを特徴としている。
【００１０】
この発明に係る真空加熱装置によれば、水冷ケーブルによって、真空槽の内部における放出ガスの発生を抑え、高真空雰囲気として冷却水及び電源を供給することができる。このため、放出ガスによって汚染されてしまうこと無く被処理物を高真空雰囲気で加熱することができる。
【００１１】
また、上記の真空加熱装置は、前記真空槽の内部に設けられ、前記水冷ケーブルによって電源が供給される前記加熱手段である誘導加熱コイルと、該誘導加熱コイルの内側に配設され、内部に前記被処理物を収容するルツボとを備え、該ルツボの内部に収容された前記被処理物を溶解させる真空誘導溶解炉であることがより好ましい。
【００１２】
この発明に係る真空加熱装置によれば、水冷ケーブルによって誘導加熱コイルに電源を供給することで、ルツボの内部に収容された被処理物に誘導電流を生じさせて発熱させ、真空誘導溶解炉として高真空雰囲気で被処理物を溶解することができる。この際、上記水冷ケーブルによって放出ガスの発生を抑えることができることで、被処理物や被処理物が溶解した溶湯が放出ガスによって汚染されてしまうのを防止し、溶解品質を確保することができる。
【００１３】
また、上記の真空加熱装置は、前記真空槽の内部に設けられ、冷却水を通水させる冷却水配管を備え、該冷却水配管は、耐熱温度が１００℃以上で、少なくともベーキング前の外皮の放出ガス量が１０−４Ｐａ・ｍ３／ｓ・ｍ２以下の可撓性を有する絶縁材料であるフッ素系ゴムで形成されていることがより好ましい。
この発明に係る真空加熱装置によれば、冷却水配管も耐熱温度が１００℃以上で、少なくともベーキング前の外皮の放出ガス量が１０−４Ｐａ・ｍ３／ｓ・ｍ２以下であって可撓性を有する絶縁材料であるフッ素系ゴム形成されていることで、放出ガスの発生をより効果的に抑えつつ、真空槽の内部を冷却することができる。
【００１４】
この発明に係る真空加熱装置によれば、水冷ケーブル及び冷却水配管の外皮の材質がフッ素系ゴムで構成されていることで、放出ガスの発生をさらに効果的に抑えつつ、真空槽の内部を冷却することができる。
【発明の効果】
【００１５】
本発明の水冷ケーブルによれば、被覆管が、耐熱温度が１００℃以上で、少なくとも外皮のベーキング前の放出ガス量が１０−４Ｐａ・ｍ３／ｓ・ｍ２以下の可撓性を有する絶縁材料であるフッ素系ゴムで形成されていることで、可撓性を有するとともに、高真空雰囲気中において、放出ガスによって圧力を低下させること無く、また、周辺環境を汚染させること無く使用することができる。
また、本発明の真空加熱装置によれば、上記水冷ケーブルを備えることで、高真空雰囲気中において、放出ガスで汚染してしまうこと無く、被処理物を加熱処理することができる。
【図面の簡単な説明】
【００１６】
【図１】この発明の実施形態の真空誘導溶解炉の概要を示す全体図である。
【図２】この発明の実施形態の真空誘導溶解炉において、真空槽内部の詳細を示す断面図である。
【図３】この発明の実施形態の水冷ケーブルの（ａ）側断面図及び（ｂ）正断面図である。
【発明を実施するための形態】
【００１７】
図１から図３は、この発明に係る実施形態を示している。図１及び図２は、真空雰囲気で、被処理物を加熱処理する真空加熱装置の一例として、金属等を溶解する真空誘導溶解炉を示している。図１及び図２に示すように、真空誘導溶解炉１は、内部２ａを気密に閉塞する真空槽２と、真空槽２の内部２ａを所定の圧力となるまで排気可能な排気手段である真空ポンプ３と、溶解処理する金属等の被処理物Ｗが収容されるルツボ４を有する溶解炉５と、ルツボ４を加熱する加熱手段６とを備える。真空槽２は、二重ジャケット構造を呈していて、空間２ｂに図示しない供給手段によって温水を供給することで内部２ａを１００度近傍まで加熱することが可能となっている。また、真空槽２には、覗き窓２ｃが設けられていて、外部から内部２ａを観察可能となっている。また、真空ポンプ３は、本実施形態では到達圧力が１０−５Ｐａ以下の高真空雰囲気となるまで排気可能な性能を有している。
【００１８】
溶解炉５のルツボ４は、底付きの筒状の部材で、例えば黒鉛などによって形成されている。溶解炉５の上方には、溶解炉５を傾動させる傾動機構７が設けられている。傾動機構７は、溶解炉５の上端を回転可能に支持する支持部７ａと、一端が溶解炉５の下端に接続された牽引ワイヤ７ｂと、牽引ワイヤ７ｂの他端側が巻回されたドラム７ｃと、ドラム７ｃを回転させる図示しない駆動部とを有する。ドラム７ｃは、図示しない駆動部を駆動させることで、回転して牽引ワイヤ７ｂを巻き取ることが可能であり、これにより溶解炉５を立設した状態から支持部７ａを中心として回転、傾斜した状態にさせて、ルツボ４の開口部４ａが下方に向くようにすることが可能である。溶解炉５が傾斜した状態において、ルツボ４の開口部４ａの下方には、載置台１０が設けられていて、ルツボ４から載置台１０に載置された鋳型Ｍへルツボ４の内部の溶湯を流し込むことが可能となっている。なお、鋳型Ｍの上部には、タンディッシュＭ１が設けられている。また、載置台１０の下部には、ガイド１１ａによって載置台１０を水平移動させる鋳型移動機構１１が設けられていて、溶湯が流し込まれた鋳型Ｍを回収して、新しい鋳型Ｍに置き換えることが可能となっている。
【００１９】
加熱手段６は、ルツボ４に断熱材１２を介して外装された誘導加熱コイル１３と、真空槽２の外部に設けられ、誘導加熱コイル１３に高周波電流を供給する高周波電源１４と、真空槽２の外部からフランジ２ｄを介して内部２ａへ配設され、高周波電源１４と誘導加熱コイル１３とを電気的に接続する配線１５ａ、１５ｂとで構成されている。フランジ２ｄにおいて、配線１５ａ、１５ｂには、図示しないＯリングが外嵌されていて、フランジ２ｄと図示しないＯリングによって真空槽２の気密性が確保されている。そして、高周波電源１４から配線１５ａ、１５ｂを介して誘導加熱コイル１３に高周波電流を供給することで、交流磁界が生じ、特に磁束密度の大きいルツボ４の内部に収容された金属等の被処理物には誘導電流（渦電流）が発生することになる。このため、被処理物は、誘導電流により発熱して溶解することとなる。
【００２０】
ここで、配線１５ａ、１５ｂは、図３に示す水冷ケーブル２０によって構成されている。同様に、誘導加熱コイル１３は、水冷銅パイプが螺旋状に巻回されていることによって構成されている。図３に示すように、水冷ケーブル２０は、電源を供給するための可撓性を有する導線２０ａと、導線２０ａとの間に隙間を有して外装された略管状の被覆管２０ｂとを有する。そして、水冷ケーブル２０は、導線２０ａと被覆管２０ｂとの隙間を冷却水通路２０ｃとして、冷却水を流通させることが可能である。
【００２１】
水冷ケーブル２０において、導線２０ａは、銅線などの撚り線である。また、被覆管２０ｂは、耐熱温度が１００℃以上で、ベーキング前の外皮の放出ガス量が１０−４Ｐａ・ｍ３／ｓ・ｍ２以下の可撓性を有する絶縁材料で形成されている。これにより、導体２０ａと外部との絶縁を図るための絶縁性、水冷ケーブル２０全体として可撓性、並びに、外部温度に対する耐熱性を有している。より具体的には、水冷ケーブル２０をベーキングとして最低限必要な６５℃以上に加熱することが可能となり、特にベーキングとしてより好ましい１００℃近傍まで加熱することが可能となるものである。また、被覆管２０ｂが耐熱温度が１００℃以上で、ベーキング前の外皮の放出ガス量が１０−４Ｐａ・ｍ３／ｓ・ｍ２以下の可撓性を有する絶縁材料で形成されていることで、水冷ケーブル２０からのガス放出量が低く抑えられ、１０−５Ｐａ以下の高真空雰囲気を達成することが可能となる。ここで、このような水冷ケーブル２０の外皮の材質としては、フッ素系ゴムが好ましい。特に、外皮の材質として採用されるゴム材としては、気体（窒素、酸素及び水蒸気）の透過係数及び放出係数が低く、炭化水素の放出が少ない（低分子成分及び蒸気圧の高い添加剤が少ない）フッ素系ゴムがより好ましい。フッ素系ゴムとしては、例えば、フッ化ビニリデン系やテトラフルオロエチレン−プロピレン系や、テトラフルオロエチレン−パープルオロビニルエーテル系などがある。
【００２２】
そして、図１及び図２に示すように、水冷ケーブル２０で形成された配線１５ａ、１５ｂは、外部において導線２０ａが高周波電源１４に電気接続されている。このため、配線１５ａ、１５ｂのそれぞれの導線２０ａと誘導加熱コイル１３とによって、高周波電流を導通させることが可能となっている。また、真空槽２の外部において、配線１５ａ、１５ｂの基端には、それぞれの冷却水通路２０ｃに冷却水を供給する冷却水供給部２１が接続されている。また、誘導加熱コイル１３の冷却水通路２０ｃは、中間部において冷却水配管２２ａ、２２ｂと接続されている。冷却水配管２２ａ、２２ｂは、水冷ケーブル２０の被覆管２０ｂ同様に耐熱温度が１００℃以上で、ベーキング前の外皮の放出ガス量が１０−４Ｐａ・ｍ３／ｓ・ｍ２以下の可撓性を有するフッ素系ゴムで形成されている。そして、冷却水配管２２ａ、２２ｂは、真空槽２の内部２ａからフランジ２ｄを介して外部へ配設されている。このため、冷却水供給部２１から供給された冷却水を、配線１５ａ、１５ｂのそれぞれの冷却水通路２０ｃから誘導加熱コイル１３の冷却水通路２０ｃに流通させて、冷却水配管２２ａ、２２ｂのそれぞれから外部へ排出させることが可能である。なお、フランジ２ｄにおいて、冷却水配管２２ａ、２２ｂにも図示しないＯリングが外嵌されていて、真空槽２の気密が図られている。
【００２３】
次に、この実施形態の真空加熱誘導炉１を使用して金属等の被処理物Ｗを溶解してインゴットを製造する工程の詳細について説明する。図１及び図２に示すように、まず、材料投入工程として、溶解炉５のルツボ４に溶解する金属等の被処理物Ｗを投入する。次に、ベーキング工程として、真空槽２の内部２ａの脱ガス処理を行う。すなわち、まず、真空ポンプ３によって真空槽２の内部２ａを排気して、例えば圧力を１０−１Ｐａ程度に設定する。次に、図示しない供給手段によって真空槽２の空間２ｂに温水を供給することで真空槽２の内部２ａを加熱する。この際、真空槽２の内部２ａの温度環境が、少なくとも６５℃以上とし、より好ましくは１００℃近傍となるまで加熱する。この際、配線１５ａ、１５ｂへの冷却水の供給は停止している。これにより、配線１５ａ、１５ｂ、誘導加熱コイル１３、及び、冷却水配管２２ａ、２２ｂのベーキングも行われる。ここで、配線１５ａ、１５ｂ及び誘導加熱コイル１３について、被覆管２０ｂが、耐熱温度が１００℃以上で、ベーキング前の外皮の放出ガス量が１０−４Ｐａ・ｍ３／ｓ・ｍ２以下の可撓性を有するフッ素系ゴムで形成された水冷ケーブル２０によって構成されていて、また、冷却水配管２２ａ、２２ｂも耐熱温度が１００℃以上で、少なくとも外皮のベーキング前の放出ガス量が１０−４Ｐａ・ｍ３／ｓ・ｍ２以下の可撓性を有するフッ素系ゴムで形成されていることで、温度環境を６５℃以上に設定することが可能となっている。そして、目標の温度まで昇温したら、設定した温度環境及び真空雰囲気で一定時間保持する。保持する時間としては、溶解炉５、被処理物Ｗ、また、鋳型Ｍなどの材質にもよるが、数時間から数十時間である。なお、この時の真空槽２の内部２ａの圧力を計測することで、どの程度、真空槽２の内部２ａで放出ガスが発生したかを検出することができる。
【００２４】
そして、ベーキング工程完了後、真空槽２を冷却することで、真空槽２の内部２ａに配設された各構成からのガス放出が収まることとなり、真空槽２の内部２ａを１０−５Ｐａ以下の高真空雰囲気となるまで排気することができる。次に加熱工程として、加熱手段６によってルツボ４の内部に収容された被処理物Ｗを加熱し、溶解させる。すなわち、まず、冷却水供給部２１から冷却水を配管１５ａ、１５ｂの冷却水通路２０ｃに供給する。供給された冷却水は、配管１５ａ、１５ｂの各冷却水通路２０ｃから誘電加熱コイル１３の冷却水通路２０ｃを流通して冷却水配管２２ａ、２２ｂを介して外部に排出される。この状態で、高周波電源１４をオンとすることで、高周波電源１４から配線１５ａ、１５を介して誘導加熱コイル１３に高周波電流が供給される。このため、ルツボ４に収容された被処理物Ｗは、発生する交流磁界によって加熱し、溶融することとなる。この際、配線１５ａ、１５ｂ及び誘導加熱コイル１３の各導線２０ａも、供給される高周波電流によって昇温することとなるが、各冷却水通路２０ｃに流通する冷却水によって冷却され、温度上昇を抑えることができる。なお、上記においては、高真空雰囲気のまま加熱工程を実施するものとしたが、被処理物Ｗの種類によっては、アルゴンガスなどの不活性ガスを真空槽２の内部２ａに導入して、減圧不活性ガス雰囲気で加熱工程を行い、被処理物Ｗを溶解させても良い。
【００２５】
そして、加熱工程によって被処理物Ｗを溶解させたら、次に鋳込み工程として、被処理物Ｗによる溶湯を、ルツボ４から鋳型Ｍへ流し込む。すなわち、傾動機構７を駆動して、溶解炉５を傾斜させる。この際、溶解炉５のルツボ４に外装されている誘導加熱コイル１３には配線１５ａ、１５ｂ及び冷却水配管２２ａ、２２ｂが接続されているが、配線１５ａ、１５は水冷ケーブル２０で構成され可撓性を有していて、また、冷却水配管２２ａ、２２ｂも可撓性を有しているため、ルツボ４とともに追従させることができる。これによりルツボ４に収容された溶湯は、開口部４ａからダンディッシュＭ１に投入され、鋳型Ｍへ流れ込むこととなり、インゴットが製造されることとなる。
【００２６】
以上のように、本実施形態の誘導溶解炉１では、配線１５ａ、１５ｂに水冷ケーブル２０を使用していることで、６５℃以上の温度環境としてベーキング工程を実施することが可能であり、ベーキング前の放出ガス量を１０−４Ｐａ・ｍ３／ｓ・ｍ２より低く抑え、真空槽２の内部２ａを１０−５Ｐａ以下の高真空雰囲気として、被処理物Ｗの加熱工程を実施することが可能である。また、ベーキング前の放出ガス量を１０−４Ｐａ・ｍ３／ｓ・ｍ２より低く抑えることで、被処理物Ｗが放出ガスによって汚染されてしまうのを防ぐことができ、被処理物Ｗによる溶解材の品質の向上、また、高純度金属材料においてはその特性を維持した溶解が可能となる。
【実施例】
【００２７】
上記実施形態で使用した水冷ケーブル２０について性能評価を行った。ここで、本実施例の水冷ケーブル２０において、被覆管２０ｂはフッ素ゴムで形成されている。そして、この水冷ケーブル２０について、ベーキングを実施しない状態及びベーキングを実施した状態それぞれについて、常温として、真空槽２の内部２ａを排気して、到達圧力及び放出ガス量を計測した。また、真空槽２の内部２ａに存在する気体について分圧を計測した。計測結果を表１に示す。なお、ベーキングについては、温度環境を９５℃として、１２時間保持することにより行った。
【００２８】
＜比較例１＞
また、上記実施例と比較するものとして、比較例１として市販のゴム管について、常温で、同様の計測を行った。市販のゴム管としては、天然ゴム、スチレンゴム、スチレンブタジエンゴム、クロロプレンゴム、ブチルゴムなどで形成されたもの、あるいは、これらを層状に構成したものがあるが、本比較例では、スチレンブタジエンゴムで形成されたものを使用した。なお、比較例１では、６５℃以上に加熱することができないことから、ベーキングを実施しない状態で行っている。
【００２９】
＜比較例２＞
また、上記実施例と比較するものとして、比較例２として耐熱ゴム管について、ベーキング時において同様の計測を行った。耐熱ゴム管としては、ネオプレンゴム、ニトリルゴム、クロロプレンゴム、ブチルゴム、シリコンゴム、エチレンプロピレンジエンゴムなどで形成されたもの、あるいは、これらを層状に構成したものがあるが、本比較例では、内層がニトリルゴム、外層がニトリルゴムとクロロプレンゴムとでそれぞれ形成された層状構造体のものを使用した。なお、ベーキングの条件は、実施例と同様である。
【００３０】
【表１】
0006004602.tif 000002
【００３１】
表１に示すように、実施例の水冷ケーブル２０では、ベーキング後においては、到達圧力を１０−５Ｐａ以下とし、また、放出ガス量を１０−４Ｐａ・ｍ３／ｓ・ｍ２以下とすることができた。一方、比較例１の市販のゴム管では、到達圧力が４．６×１０−４Ｐａとなる雰囲気までしか排気することができず、放出ガス量も２．４×１０−４Ｐａ・ｍ３／ｓ・ｍ２となってしまった。また、実施例の水冷ケーブル２０では、水（Ｈ２Ｏ）、炭化水素（ＨＣ）の分圧の低減が可能であり、特にベーキング後の炭化水素（ＨＣ）の分圧は、比較例１に対して約１／１００まで下げることができた。一方、比較例１では、真空槽２の内部２ａの雰囲気中において、炭化水素が主成分となってしまい、溶解に影響を与えてしまう。また、比較例２の耐熱ゴム管については、ベーキング中に激しくガスが放出され、真空槽２の内部２ａに油成分が付着する状況となってしまった。さらに、ベーキングを終了させても圧力が低下せず、放出された油成分によって真空槽２の内部２ａが汚染される結果となってしまった。
【００３２】
以上、本発明の実施形態について図面を参照して詳述したが、具体的な構成はこの実施形態に限られるものではなく、本発明の要旨を逸脱しない範囲の設計変更等も含まれる。
【００３３】
なお、上記実施形態では、水冷ケーブル２０によって供給される冷却水を排出させるものとして、フッ素系ゴムで形成された冷却水配管を使用したが、このような冷却水配管は、真空槽２の内部２ａにおける様々な冷却回路に好適なものである。また、上記実施形態では、真空加熱装置の一例として、水冷ケーブル２０を使用した真空誘導溶解炉１について説明したが、これに限るものでは無い。高真空雰囲気において被処理物を加熱処理する様々な真空加熱装置において、水冷ケーブル２０は同様の効果をもたらすものであり、さらには水冷ケーブル２０は、真空加熱装置に限らず、高真空雰囲気において電源供給及び冷却を行う様々な用途に適用可能なものである。
【符号の説明】
【００３４】
１  真空誘導溶解炉（真空加熱装置）
２  真空槽
２ａ  内部
３  真空ポンプ（排気手段）
４  ルツボ
６  加熱手段
１３  誘導加熱コイル
２０  水冷ケーブル
２０ａ  導線
２０ｂ  被覆管
２０ｃ  冷却水通路
Ｗ  被処理物
【図１】
0006004602.tif 000003
【図２】
0006004602.tif 000004
【図３】
0006004602.tif 000005